(57)【要約】【課題】実用に耐え得る強度を確保しつつ、架台への蓄電池の取り付け作業のみならず、取り付け後の蓄電池の保守点検作業や交換作業、蓄電池システムの拡張／縮小作業などが容易な蓄電池用架台を提供する。【解決手段】本発明に係る蓄電池用架台１は、前方および上方に開放された蓄電池収納箱２と、一対の矩形の支柱枠３と、平板状の支持連結板４とを備え、支持連結板４の固定部４１が支柱枠３ａの前枠３１ａに固定され、支持連結板４の固定部４２が支柱枠３ｂの前枠３１ｂに固定されることにより一対の支柱枠３が連結され、蓄電池収納箱２の後面部２４は、蓄電池収納箱２の内側に突設した第一の蓄電池支持部６１を有し、支持連結板４の背面部４４は、その上部において突設した第二の蓄電池支持部６２を有し、第一の蓄電池支持部６１および第二の蓄電池支持部６２が、蓄電池収納箱２に載置される蓄電池５の前面および背面に当接して蓄電池５を支持する。【選択図】図１
2018170138.tif 000002
【特許請求の範囲】
【請求項１】
蓄電池を載置可能な底面部と、前記底面部の外周縁３辺のそれぞれから上方に立ち上げられた左側面部、右側面部および後面部とを有する前方および上方に開放された蓄電池収納箱と、
前記蓄電池収納箱の底面部の左側端部分および右側端部分とそれぞれ当接し、前記蓄電池収納箱を所定の位置に載置可能な収納箱載置部を有する一対の矩形の支柱枠と、
前記支柱枠に固定可能な固定部を左右両側に有する平板状の支持連結板とを備える蓄電池用架台であって、
前記支持連結板の左側の固定部が一方の支柱枠の前枠に固定され、前記支持連結板の右側の固定部が他方の支柱枠の前枠に固定されることにより前記一対の支柱枠が連結され、
前記蓄電池収納箱の後面部は、蓄電池収納箱の内側に突設した第一の蓄電池支持部を有し、前記支持連結板の背面部は、その上部において突設した第二の蓄電池支持部を有し、
前記第一の蓄電池支持部および前記第二の蓄電池支持部が、前記蓄電池収納箱に載置される蓄電池の前面および背面に当接して前記蓄電池を支持することを特徴とする蓄電池用架台。
【請求項２】
前記支持連結板の左右両側の固定部が互いに噛み合う形状であり、前記蓄電池用架台を複数台並べて連結した際に、隣接する前記支持連結板が互いに噛合することを特徴とする請求項１に記載の蓄電池用架台。
【請求項３】
前記支持連結板の一方の固定部が凹形状であり、他方の固定部が凸形状であることを特徴とする請求項２に記載の蓄電池用架台。
【請求項４】
前記支持連結板の背面部がさらに、その下部において突設した第三の蓄電池支持部を有することを特徴とする請求項１から３のいずれか一項に記載の蓄電池用架台。
【発明の詳細な説明】
【技術分野】
【０００１】
本発明は、蓄電池用架台に関する。
【背景技術】
【０００２】
蓄電池用架台は、非常用電源などの大型の蓄電池システムの設置に使用される蓄電池用の架台であって、１個あたりの重量が大きい蓄電池が組電池として複数並べて載置されるため（例えば、１個あたり１５〜２５ｋｇの蓄電池を６個組み合わせて１組の組電池とするなど）、所要の強度を確保することが求められる。一方、蓄電池用架台が軽量で施工が容易であると、設置時の工期を短縮することができたり、幅広い設置環境に対応することができたりするため望ましい。
【０００３】
例えば、特許文献１では、必要十分な強度を確保しながらも、取扱面およびコスト面において有利な蓄電池用ラックが提案されている。この蓄電池用ラックでは、上方開放型の蓄電池収納部の２枚の縦板部に、一対の曲がり部を有する板状部材から構成される支持体を配置して枠状に構成することによって軽量化を図り、かつ、板状部材と蓄電池収納部を構成する縦板部とを単に連結した構成に比べて連結部における強度を向上させることができるとされている。また、板状の本体部の外面に、蓄電池用の端子台を直接取り付けることが可能になり、蓄電池用の端子台用に特別な取り付け部材が不要になるため、部品点数の削減化および組立工数の削減化を図ることができるとされている。
【０００４】
また、従来の蓄電池用架台においては、架台に載置した蓄電池に沿って、水平方向に転倒防止用の枠を設けることにより、耐震性を確保することが通常であった。さらに、特許文献２では、蓄電池転倒防止枠に加えて蓄電池飛び出し防止枠を設けることによって、直下形地震時に蓄電池の飛び出しを防止することができる蓄電池設備とすることが提案されている。この蓄電池設備では、架台の内側に蓄電池転倒防止枠が固設されており、この蓄電池転倒防止枠が蓄電池飛び出し防止枠の上昇ストッパーとなるように配置されて構成されている。
【先行技術文献】
【特許文献】
【０００５】
【特許文献１】特許第５１６９００１号公報
【特許文献２】特開平１０−３１９８８号公報
【発明の概要】
【発明が解決しようとする課題】
【０００６】
ところで、蓄電池を蓄電池用架台に載置して使用するに際しては、蓄電池を蓄電池用架台に載置して使用可能な状態にするための取り付け作業、蓄電池を継続的に安定した状態で使用できるようにするための定期点検などの保守点検作業、寿命が尽きた蓄電池を蓄電池用架台から取り外して新品の蓄電池と入れ換えるための交換作業、あるいは蓄電池システムの拡張／縮小作業など、様々な作業を随時行う必要がある。
【０００７】
しかしながら、特許文献１の構成の蓄電池用ラックでは、蓄電池収納部が上方開放型であるため、一旦取り付けられた蓄電池を交換する際には、１個あたり１５〜２５ｋｇ程の大重量の蓄電池を収納部の上方から複数出し入れしなければならず、特に多段積タイプのように蓄電池の設置個数が多く、下段の蓄電池の出し入れ時に上段の収納部が妨げとなるような場合には作業員の多大な労力を要する。また、特許文献２の構成の蓄電池設備では、架台の内側に、蓄電池転倒防止枠および蓄電池飛び出し防止枠が配置されているため、蓄電池の交換を行う際には、これらの蓄電池転倒防止枠または蓄電池飛び出し防止枠を取り外さなければならず、多くの作業工数を要する。さらに、特許文献１および特許文献２のような従来の蓄電池用架台では、設置環境や使用状況の変化などに応じて柔軟に蓄電池システム全体を拡張／縮小することが困難である。
【０００８】
このように、特許文献１および特許文献２のような従来の蓄電池用架台では、蓄電池を最初に架台に取り付ける際の施工性や、蓄電池が設置された状態での性能に主眼を置いたものがほとんどであった。すなわち、従来の蓄電池用架台は、取り付け作業後の蓄電池の保守点検作業や交換作業等のメンテナンス、あるいは蓄電池システムの拡張／縮小作業などの場面における作業員の負担の軽減や作業の効率性の向上などの観点からはさらなる改良の余地があった。
【０００９】
本発明は、以上のとおりの事情に鑑みてなされたものであり、蓄電池用架台として実用に耐え得る強度を確保しつつ、架台への蓄電池の取り付け作業のみならず、取り付け後の蓄電池の保守点検作業や交換作業、および蓄電池システムの拡張／縮小作業など、各種の作業が簡便かつ容易な蓄電池用架台を提供することを目的としている。
【課題を解決するための手段】
【００１０】
上記の目的を達成するために、本発明に係る蓄電池用架台は、蓄電池を載置可能な底面部と、前記底面部の外周縁３辺のそれぞれから上方に立ち上げられた左側面部、右側面部および後面部とを有する前方および上方に開放された蓄電池収納箱と、前記蓄電池収納箱の底面部の左側端部分および右側端部分とそれぞれ当接し、前記蓄電池収納箱を所定の位置に載置可能な収納箱載置部を有する一対の矩形の支柱枠と、前記支柱枠に固定可能な固定部を左右両側に有する平板状の支持連結板とを備える蓄電池用架台であって、前記支持連結板の左側の固定部が一方の支柱枠の前枠に固定され、前記支持連結板の右側の固定部が他方の支柱枠の前枠に固定されることにより前記一対の支柱枠が連結され、前記蓄電池収納箱の後面部は、蓄電池収納箱の内側に突設した第一の蓄電池支持部を有し、前記支持連結板の背面部は、その上部において突設した第二の蓄電池支持部を有し、前記第一の蓄電池支持部および前記第二の蓄電池支持部が、前記蓄電池収納箱に載置される蓄電池の前面および背面に当接して前記蓄電池を支持することを特徴とする。
【００１１】
ここで、前記支持連結板の左右両側の固定部が互いに噛み合う形状であって、前記蓄電池用架台を複数台並べて連結した際に、隣接する前記支持連結板が互いに噛合するようにしてもよい。
また、前記支持連結板の一方の固定部が凹形状であり、他方の固定部が凸形状であってもよい。
また、前記支持連結板の背面部がさらに、その下部において突設した第三の蓄電池支持部を有してもよい。
【発明の効果】
【００１２】
本発明によれば、蓄電池用架台として実用に耐え得る強度を確保しつつ、架台への蓄電池の取り付け作業のみならず、取り付け後の蓄電池の保守点検作業や交換作業、および蓄電池システムの拡張／縮小作業など、各種の作業が容易な蓄電池用架台が提供される。
【図面の簡単な説明】
【００１３】
【図１】本発明の一実施形態に係る蓄電池用架台の模式分解斜視図である。
【図２】本発明の一実施形態に係る蓄電池用架台の蓄電池収納箱の模式図である。（ａ）は斜視図であり、（ｂ）は平面図である。
【図３】本発明の一実施形態に係る蓄電池用架台の支柱枠の模式斜視図である。
【図４】本発明の一実施形態に係る蓄電池用架台の支持連結板の模式斜視図である。
【図５】本発明の一実施形態に係る蓄電池用架台の使用状態の一例として、蓄電池用架台を左右方向に２台組み合わせて連結させた例を示す模式斜視図である。
【図６】本発明の一実施形態に係る蓄電池用架台の使用状態の一例として、蓄電池用架台を上下方向および左右方向に２台ずつ組み合わせて連結させた例を示す模式斜視図である。
【発明を実施するための形態】
【００１４】
以下、本発明の実施形態について、必要に応じて添付の図面を参照して詳細に説明する。ここでは、蓄電池６個を１組とした組電池を載置する場合を例にして説明する。なお、記載する寸法は一例であり、載置される蓄電池または組電池の寸法などに応じて適宜設計され得ることが理解される。
【００１５】
図１は、本発明の一実施形態に係る蓄電池用架台の模式分解斜視図である。
【００１６】
本実施形態に係る蓄電池用架台１（以下、単に「架台１」ともいう。）は、図１に示すように、前方および上方に開放された蓄電池収納箱２と、一対の矩形の支柱枠３と、平板状の支持連結板４とを備えており、これらを１ユニット（構成単位）として、蓄電池５が載置可能な構成とされている。なお、本明細書では、図１に示す蓄電池収納箱２の開放された前方と後面部２４とをつなぐ長手方向を前後方向とし、蓄電池収納箱２の左側面部２２と右側面部２３とをつなぐ短手方向を左右方向として説明する。
【００１７】
図２は、本発明の一実施形態に係る蓄電池用架台の蓄電池収納箱の模式図である。図２（ａ）は斜視図であり、図２（ｂ）は平面図である。
【００１８】
蓄電池収納箱２は、蓄電池５を載置可能な底面部２１と、底面部２１の外周縁３辺のそれぞれから上方に立ち上げられた左側面部２２、右側面部２３および後面部２４とを有し、前方および上方に開放されている。蓄電池収納箱２の底面部２１、左側面部２２、右側面部２３および後面部２４を構成する材料としては、例えば鋼板を用いることができ、他の金属材料や剛性のあるプラスチック材、またはこれらと同等の強度を有する各種の材料であってもよい。蓄電池収納箱２は、底面部２１と左側面部２２と右側面部２３と後面部２４とが一体成形されて前方および上方が開放した箱型とすることが好ましく考慮される。あるいは、各部材が別体として形成され、ボルト・ナット、ネジ等の任意の固定手段によって組み合わされて前方および上方が開放した箱型とされていてもよい。蓄電池収納箱２の外形寸法は、例えば、幅３３２ｍｍ、奥行３７４ｍｍ、高さ２５５ｍｍとすることができる。なお、蓄電池収納箱２を鋼板で構成する場合には、例えば、厚みを１〜２ｍｍ程度とすることができる。
【００１９】
底面部２１の底面には、蓄電池収納箱２の強度を補強する観点から、左右方向視において逆Ｕ字形状に折り曲げられ、左右方向に延びる補強材２５を設けることが好ましく考慮される。この場合において、補強材２５の寸法、数および設置位置は、蓄電池収納箱２の寸法、載置される蓄電池５の重量などに応じて適宜設計される。例えば、上記寸法の蓄電池収納箱２の場合、幅６０ｍｍの補強材２５を、図２（ａ）、（ｂ）に示すように、底面部２１の底面の前部、後部および中央部に設置することができる。
【００２０】
また、底面部２１の底面の四隅には、後述する支柱枠３の収納箱載置部３５に蓄電池収納箱２を固定するための固定部材２６が設けられており、固定部材２６は、ボルト等の固定部材が挿入される貫通孔２６ａを有している。
【００２１】
図３は、本発明の一実施形態に係る蓄電池用架台の支柱枠の模式斜視図である。
【００２２】
支柱枠３は、前枠３１、後枠３２、上枠３３および下枠３４がそれぞれ一定の厚みと幅を有する板状部材からなる矩形の枠体であり、互いに対向して配置している。支柱枠３を構成する板状部材の材料としては、例えば鋼材を用いることができ、他の金属材料や剛性のあるプラスチック材、またはこれらと同等の強度を有する各種の材料であってもよい。支柱枠３は、所要の長さを有する鋼材等を折り曲げることにより一体成形されて矩形の枠体とすることが好ましく考慮される。あるいは、各枠が別体として形成され、ボルト・ナット、ネジ等の任意の固定手段によって組み合わされて矩形の枠体とされていてもよい。支柱枠３の各枠は、例えば、厚み６ｍｍ、幅５０ｍｍとすることができる。また、支柱枠３の外形寸法は、例えば、幅５０ｍｍ（後述する収納箱載置部３５を除く。）、奥行４５０ｍｍ、高さ４０５ｍｍとすることができる。なお、後述するように架台１を上下方向に組み合わせる場合には、上段側の支柱枠の高さは、例えば、５４５ｍｍとすることができる。
【００２３】
支柱枠３は、蓄電池収納箱２を所定の位置に載置可能な収納箱載置部３５を有している。収納箱載置部３５は、前後方向視においてＬ字形状に折り曲げられ、支柱枠３の前枠３１から後枠３２に向けて延びており、支柱枠３の前枠３１および後枠３２に溶接して固定されている。収納箱載置部３５は、蓄電池用架台１が設置される床面から所定の高さに蓄電池収納箱２が載置されるように、支柱枠３の下枠３４から所定の高さに設けられている。例えば、上記寸法の支柱枠３の場合、高さ４０５ｍｍの支柱枠の下枠から１５０ｍｍの位置、または高さ５４５ｍｍの支柱枠の下枠から２９０ｍｍの位置とすることができる。収納箱載置部３５を構成する材料としては、例えば鋼材を用いることができ、上記寸法の支柱枠３の場合、Ｌ字形状の各辺を５０ｍｍとすることができる。なお、収納箱載置部３５は、１ユニットの蓄電池用架台１では、少なくとも支持枠３の左右いずれか一方に設けられていればよく、蓄電池用架台１を左右方向に複数台並べて連結する場合には、収納箱載置部３５は、支持枠３の左右両方に設けることができる。
【００２４】
収納箱載置部３５は、その前部側および後部側において、蓄電池収納箱２の底面部２１の固定部材２６の貫通孔２６ａに対応する位置に貫通孔３５ａを有している。これにより、収納箱載置部３５の貫通孔３５ａの下側からねじ込まれたボルトが蓄電池収納箱２の底面部２１の固定部材２６の貫通孔２６ａにねじ込まれ、蓄電池収納箱２が収納箱載置部３５に固定される。なお、蓄電池収納箱２を収納箱載置部３５に固定する方式は、上記のネジ止め方式に限定されず、任意の固定方式が採用され得る。また、蓄電池収納箱２の底面部２１に補強材２５および固定部材２６を有しない構成とする場合には、収納箱載置部３５に、蓄電池収納箱２の底面部２１の左側端部分および右側端部分をそれぞれ当接させることにより蓄電池収納箱２を所定の位置に載置し、任意の固定方式によって蓄電池収納箱２と収納箱載置部３５とを固定することができる。
【００２５】
支柱枠３は、前枠３１において、後述する支持連結板４を固定するための貫通孔３１ａを有している。貫通孔３１ａの数や位置は、支持連結板４の固定部の構成に応じて適宜設計される。
【００２６】
また、支柱枠３の下枠３４には、蓄電池用架台１が設置される床面とをつなぐアンカーボルトを取り付けるための貫通孔３４ａを設けることができる。
【００２７】
また、支柱枠３は、後枠３２に貫通孔３２ａを有していてもよい。これにより、複数の支柱枠３をボルト等の任意の固定手段により固定し、複数の架台１が前後方向に組み合わされて構成される多列式の架台とすることができる。
【００２８】
また、支柱枠３は、上枠３３に、貫通孔３３ａを有していてもよい。これにより、例えば、図６に示すように、複数の支柱枠３をボルト等の任意の固定手段により固定し、架台１が上下方向に複数台組み合わされて構成される、多段積の架台１１とすることができる。
【００２９】
ここで、架台１を上下方向に複数台組み合わせて図６に示すような多段積の架台１１を構成する場合、上段側の支柱枠３における収納箱載置部３５の固定位置は、上記のように、例えば、当該支柱枠の下枠から２９０ｍｍとすることができる。このような多段積の架台では、特許文献１のように蓄電池収納部が上方のみに開放された形状であると、蓄電池の高さ分に加えて作業員の作業用空間を確保するために、より高い位置に収納箱載置部を設けなければならない。この点、本発明の蓄電池用架台においては、蓄電池収納箱が前方および上方に開放されているため、より低い位置に収納箱載置部を設けても、作業員の作業用空間を確保しつつ、蓄電池の保守点検作業や交換作業を可能とすることができる。
【００３０】
図４は、本発明の一実施形態に係る蓄電池用架台の支持連結板の模式斜視図である。
【００３１】
支持連結板４は、一定の厚みを有する平板状であり、支柱枠３に固定可能な固定部４１、４２を左右両側に有する。支持連結板４を構成する材料としては、例えば鋼板を用いることができ、他の金属材料や剛性のあるプラスチック材、またはこれらと同等の強度を有する各種の材料であってもよい。支持連結板４の外形寸法は、例えば、幅４１２ｍｍ、奥行（厚み。後述する蓄電池支持部を除く。）１．６ｍｍ、高さ２３６ｍｍとすることができる。
【００３２】
支持連結板４は、例えば、図１に示すように、左側部の固定部４１が一方の支柱枠３Ａの前枠３１Ａに固定され、右側の固定部４２が他方の支柱枠３Ｂの前枠３１Ｂに固定されることにより、一対の支柱枠３を連結する。これにより、架台１の強度がより確実に確保される。また、支持連結板４は、蓄電池収納箱２に収納される蓄電池５が前方に飛び出すのを防止する役割も果たす。
【００３３】
本実施形態では、固定部４１、４２は、それぞれ、貫通孔４１ａ、４２ａを有している。これにより、支持連結板４の前面部４３から固定部４１、４２の貫通孔４１ａ、４２ａにねじ込まれたボルトが支柱枠３の前枠３１の貫通孔３１ａにねじ込まれ、支持連結板４が支柱枠３に固定される。なお、支持連結板４を支柱枠３に固定する方式は、上記のネジ止め方式に限定されず、任意の固定方式が採用され得る。
【００３４】
固定部４１、４２は、互いに噛み合う形状とすることができる。より具体的には、例えば、固定部４１を凹形状とし、他方の固定部４２を凸形状とすることができる。なお、互いに噛み合う形状としては凹凸形状に限定されず、例えば、歯形などであってもよい。このように、固定部４１、４２を互いに噛み合う形状とすることにより、例えば、図５に示すように、架台１を左右方向に複数台組み合わせて連結させた多列式の架台１０とする場合において、隣接する支持連結板４が互いに干渉することなく噛合し、各々の固定部４１、４２を同一の支持枠３に固定することができる。
【００３５】
なお、固定部４１、４２を互いに噛み合う形状とする場合の寸法は、支柱枠３（前枠３１）の幅などに応じて適宜設計される。例えば、上記寸法の支持連結板４の場合、固定部４１、４２は、それぞれ、支持連結板４の左右両側から３５ｍｍの領域に設けることができる。また、固定部４１の凹形状を形成するための切り欠き部は、支持連結板４の上端および下端から６０ｍｍの位置で、１１６×３５ｍｍの領域とし、固定部４２の凸形状を形成するための切り欠き部は、それぞれ、支持連結板４の上端および下端の６１．５×３５ｍｍの領域とすることができる。
【００３６】
本実施形態に係る蓄電池用架台１では、図１に示すように、蓄電池収納箱２および支持連結板４が、蓄電池収納箱２に載置される蓄電池５を支持する蓄電池支持部６を有している。
【００３７】
より具体的には、図２（ａ）、（ｂ）に示すように、蓄電池収納箱２の後面部２４は、蓄電池収納箱２の内側に突設した第一の蓄電池支持部６１を有する。また、図４に示すように、支持連結板４の背面部４４は、その上部において突設した第二の蓄電池支持部６２を有する。これにより、第一の蓄電池支持部６１および第二の蓄電池支持部６２は、それぞれ、蓄電池収納箱２に載置される蓄電池５の前面および背面に当接して蓄電池５を支持する。
【００３８】
このように、本実施形態に係る蓄電池用架台１では、支持枠３の前後方向の長さ（上枠３３および下枠３４の長さ）が蓄電池収納箱２に載置される蓄電池５の前後方向の長さよりも長くされており、支持連結板４を支持枠３に固定した際に形成される前後方向の空間が、蓄電池支持部６で満たされる構成とされている。これにより、例えば蓄電池を単なる平板状の部材で支持するような構成と比較して、載置された蓄電池の安定性を高めることができ、ひいては蓄電池用架台の強度をより効果的に維持することができる。
【００３９】
また、本実施形態では、蓄電池収納箱および支持連結板を蓄電池に直接当接させて支持する構成とする場合よりも蓄電池と蓄電池収納箱および支持連結板との接触面積を減らすことができるので、使用状態の蓄電池からの熱を逃がす放熱性の観点からも好ましい。
【００４０】
また、従来のように単なる板状部材や長尺の棒状部材で蓄電池を固定する構成の場合には、左右方向に多列に配置した蓄電池間を配線用コード等でつなぐ際に、支柱枠が妨害する位置になるため、支柱枠の側方から迂回しなければならないが、本実施形態のように蓄電池５を、蓄電池収納箱２の内側に突設した蓄電池支持部６によって当接させて支持する構成とすることにより、蓄電池支持部６の突設高さの分、支持枠３の前方および後方の端部からの距離が確保されるので、蓄電池間の配線等がより容易となる。
【００４１】
なお、蓄電池支持部６の突設高さは、支持枠３の前後方向の長さ、蓄電池収納箱２に載置される蓄電池５の前後方向の長さなどに応じて適宜設計される。蓄電池支持部６の突設高さの例示的な寸法としては、例えば、第一の蓄電池支持部６１の突設高さは１５ｍｍ、第二の蓄電池支持部６２の突設高さは５０ｍｍとし、上下方向の長さ（幅）はそれぞれ６０ｍｍとすることができる。また、第一の蓄電池支持部６１および第二の蓄電池支持部６２の左右方向の長さは、それぞれ要求される強度等に応じて適宜設計される。特に、それぞれの長さが蓄電池収納箱２の底面部２１の左右方向の長さ（幅）、すなわち蓄電池収納箱２の左側面部２２および右側面部２３に接続する構成であると、蓄電池支持部６、および蓄電池支持部６を備える蓄電池収納箱２、支持連結板４の強度がより大きくなることに加えて、蓄電池支持部６が蓄電池５を支持した状態での安定性がより高まるので好ましい。なお第一の蓄電池支持部６１と第二の蓄電池支持部６２の突設高さの大小関係は適宜調整することができる。
【００４２】
また、支持連結板４の背面部４４はさらに、図１および図４に示すように、その下部において突設した第三の蓄電池支持部６３を有していてもよい。これにより、蓄電池収納箱２に載置される蓄電池５の前面をより安定して支持することができる。この場合において、第三の蓄電池支持部６３の寸法は、第二の蓄電池支持部６２と同じであってよく、または異なっていてもよい。
【００４３】
なお、図示してはいないが、蓄電池５の放熱性の観点から、蓄電池収納箱２の底面部２１、左側面部２２、右側面部２３の一部分または全体に、リブ形状などの凸形状を設けてもよい。これにより、蓄電池５と蓄電池収納箱２の各部との接触面積が低減され、使用状態の蓄電池５からの熱をより効率的に逃がすことができる。
【００４４】
次に、本発明の蓄電池用架台を組み立てて、当該架台へ蓄電池を載置して取り付ける作業工程について説明する。
【００４５】
まず、一対の支柱枠３を対向して配置する。次に、支柱枠３の収納箱載置部３５に蓄電池収納箱２を載置し、ボルト等の任意の固定手段により固定する。次に、蓄電池５を、蓄電池収納箱２の開放された前方および上方から蓄電池収納箱２の内部に収納する。そして、支持連結板４の固定部４１、４２を支柱枠３に固定する。このように、本発明の蓄電池用架台では、架台１を構成する部材の点数が少ないので、非常に単純かつ簡便な工程で、１ユニットの蓄電池用架台１に蓄電池５を取り付けることができる。
【００４６】
続いて、架台１を左右方向に複数台連結する場合について説明する。まず、上記のようにして組み立てられた１ユニットの架台の左右いずれか一方に、支柱枠３を対向して配置する。ここで、例えば図５に示すように、支柱枠３Ｂの左右両側には収納箱載置部３５が設けられているので、２ユニットとする場合には、支柱枠３Ｃを１つ増設するだけで、二対の支柱枠３を構成することができる。次に、上記と同様にして、支柱枠３の収納箱載置部３５に蓄電池収納箱２を載置し、蓄電池収納箱２の開放された前方および上方から蓄電池収納箱２の内部に収納する。これにより、架台１が左右方向に２台組み合わされて構成された多列式の架台１０とすることができる。このように、本発明の蓄電池用架台では、左右方向に架台１を組み合わせる場合にも、非常に単純かつ簡便な工程で、架台１を増設することができる。
【００４７】
続いて、架台１を上下方向に複数台連結する場合について説明する。まず、上記のようにして組み立てられた１ユニットの架台の支柱枠３の上枠３３の上面に、別の支柱枠３の下枠３４の下面を当接させ、ボルト等の任意の固定手段により固定する。次に、上記と同様にして、支柱枠３の収納箱載置部３５に蓄電池収納箱２を載置し、蓄電池収納箱２の開放された前方および上方から蓄電池収納箱２の内部に収納する。これにより、例えば図６に示すような架台１が上下方向に２台組み合わされて構成された多段積の架台１１とすることができる。このように、本発明の蓄電池用架台では、上下方向に架台１を組み合わせる場合にも、非常に単純かつ簡便な工程で、架台１を増設することができる。
【００４８】
ここで、本発明の蓄電池用架台では、蓄電池収納箱２が前方および上方に開放されているので、先に二対の支柱枠を上下に組み合わせた状態であっても、下段の蓄電池収納箱２に蓄電池５を容易に取り付けることができる点に留意されたい。すなわち、本発明の蓄電池用架台によれば、架台の組立および蓄電池の取り付け順序を問うことなく、作業工程の自由度を高めることができる。
【００４９】
また、蓄電池収納箱２が前方および上方に開放されているので、蓄電池５を取り付け（さらには取り外す）ために必要な上下方向の空間が節減される。これにより、上で例示した寸法の支柱枠３の場合、上下に２段組み合わせた場合の支柱枠全体の高さは、４０５＋５４５＝９５０ｍｍとすることができる。つまり、本発明の蓄電池用架台によれば、設置場所の高さが１ｍ未満であっても、上下方向に２段組み合わせた架台を設置することができる。一方で、蓄電池間の配線のためのスペースや、取り付け後の保守点検作業のための作業スペースも十分に確保されているので、これらの作業も円滑に行うことができる。
【００５０】
さらに、本発明の蓄電池用架台では、蓄電池の交換作業や蓄電池システムの縮小作業に関しても、簡便かつ少ない作業工数で行うことができる。
【００５１】
例えば、蓄電池を交換する場合には、交換対象の蓄電池５が収納されている架台１において、支持連結板４を支柱枠３から取り外し、蓄電池収納箱２の開放された前方および上方から蓄電池５を取り出す。そして、新品の蓄電池５を蓄電池収納箱２の開放された前方および上方から蓄電池収納箱２に収納する。このように、本発明の蓄電池用架台によれば、非常に単純かつ簡便な工程で、蓄電池５を交換することができる。つまり、本発明の蓄電池用架台では、従来のように支柱枠の内側に蓄電池を支持するための板状もしくは棒状の部材を有さず、蓄電池収納箱２および支持連結板４に設けた蓄電池支持部６により蓄電池５を支持する構成であるので、交換対象の蓄電池が取り付けられているユニット単位で必要な作業を行えばよく、作業の効率性が向上される。
【００５２】
また、蓄電池システムを縮小する場合には、取り外しの対象となる蓄電池が収納されている架台１において、支持連結板４を支柱枠３から取り外し、蓄電池収納箱２の開放された前方および上方から蓄電池５を取り出す。そして、不要となった支柱枠３を設置場所から撤去する。このように、本発明の蓄電池用架台によれば、非常に単純かつ簡便な工程で、蓄電池システムを縮小することができる。そのため、設置環境や設置場所に応じた蓄電池システムの設計の自由度が大幅に向上される。
【００５３】
上述してきたように、本発明の蓄電池用架台によってもたらされる主要な効果および利点をまとめると、以下のとおりである。
（１）架台を構成する部材の種類、点数が少なく、架台の組み立ておよび蓄電池の取り付け作業の工程が簡略化される。特に、本発明の蓄電池用架台はユニット式の構成であるので、１ユニットの架台に蓄電池を取り付ける場合のみならず、左右方向および／または上下方向に架台を複数台組み合わせる場合にも、非常に単純かつ簡便な工程で、架台の組み立ておよび蓄電池の取り付けが可能である。
（２）蓄電池収納箱が前方および上方に開放された構成であるので、架台前面（正面）から蓄電池を収納箱に載置することができ、取り付け作業が簡便化される。特に、先に複数の支柱枠を上下に組み合わせた状態であっても、下段の蓄電池収納箱に蓄電池を容易に取り付けることができるので、架台の組み立ておよび蓄電池の取り付けの順序を問うことなく、作業工程の自由度を高めることができる。
（３）蓄電池収納箱が前方および上方に開放された構成であるので、より低い位置に収納箱載置部を設けても、作業員の作業用空間を確保しつつ、蓄電池の保守点検作業や交換作業を可能とすることができる。特に、本発明の蓄電池用架台はユニット式の構成であるので、交換対象の蓄電池が取り付けられているユニット単位で必要な作業を行えばよく、作業の効率性が向上される。
（４）蓄電池収納箱に蓄電池を載置する際に、蓄電池収納箱および支持連結板に設けられた蓄電池支持部が蓄電池の前面および背面に当接して蓄電池を支持することにより、載置された蓄電池の安定性を高めることができ、ひいては蓄電池用架台の強度をより効果的に維持することができる。
（５）蓄電池支持部により蓄電池を支持する構成であるので、蓄電池と蓄電池収納箱および支持連結板との接触面積を減らすことができ、使用状態の蓄電池から効率よく熱を逃がすことができる。
（６）蓄電池を、蓄電池収納箱の内側に突設した蓄電池支持部によって当接させて支持する構成とすることにより、蓄電池支持部の突設高さの分、支持枠の前方および後方の端部からの距離が確保されるので、蓄電池間の配線等がより容易となる。
【００５４】
以上、本発明の実施形態を詳述してきたが、具体的な形態はこれらの実施形態に限られるものではなく、本発明の要旨を逸脱しない範囲における設計の変更等があっても本発明に含まれる。
【符号の説明】
【００５５】
１  蓄電池用架台
２  蓄電池収納箱
２１  底面部
２２  左側面部
２３  右側面部
２４  後面部
３  支柱枠
３１  前枠
３２  後枠
３３  上枠
３４  下枠
４  支持連結板
４１、４２  固定部
５  蓄電池
６  蓄電池支持部
６１  第一の蓄電池支持部
６２  第二の蓄電池支持部
６３  第三の蓄電池支持部
【図１】
2018170138.tif 000003
【図２】
2018170138.tif 000004
【図３】
2018170138.tif 000005
【図４】
2018170138.tif 000006
【図５】
2018170138.tif 000007
【図６】
2018170138.tif 000008